(57)【要約】      （修正有）【課題】クロストークが抑えられた光伝送に優れた光コネクタを提供すること。【解決手段】発光側レンズ部４１及び受光側レンズ部４２が基板部に一体成形されたレンズ体４０と、レンズ体４０に組み合わされることで発光側レンズ部４１及び受光側レンズ部４２の対向位置に配置される発光素子及び受光素子を備えたＦＯＴと、レンズ体４０に組み合わされたＦＯＴが収容されるハウジングと、を有する光コネクタである。レンズ体４０は、基板部４３における発光側レンズ部４１と受光側レンズ部４２との間に、少なくとも発光側レンズ部４１からの光の光路を変更させる光路変更機構７１、８１ａ、８２ａを備える。【選択図】図９
2019184994.tif 000002
【特許請求の範囲】
【請求項１】
発光側レンズ部及び受光側レンズ部が基板部に一体成形されたレンズ体と、
前記レンズ体に組み合わされることで前記発光側レンズ部及び前記受光側レンズ部の対向位置に配置される発光素子及び受光素子を備えた光電変換モジュールと、
前記レンズ体に組み合わされた前記光電変換モジュールが収容されるハウジングと、を有する光コネクタであって、
前記レンズ体は、
前記基板部における前記発光側レンズ部と前記受光側レンズ部との間に、少なくとも前記発光側レンズ部からの光の光路を変更させる光路変更機構を備える
ことを特徴とする光コネクタ。
【請求項２】
前記光路変更機構は、前記基板部における前記発光側レンズ部及び前記受光側レンズ部を通る直線と交差する位置に設けられた凹部または貫通孔からなり、前記発光側レンズ部から前記受光側レンズ部へ直接向かう直接光の光路を変更する直接光光路変更機構である
ことを特徴とする請求項１に記載の光コネクタ。
【請求項３】
前記凹部または前記貫通孔は、少なくとも前記発光側レンズ部側の内側面が、前記直線と直交する面に対して傾斜する傾斜面とされている
ことを特徴とする請求項２に記載の光コネクタ。
【請求項４】
前記光路変更機構は、
前記発光側レンズ部及び前記受光側レンズ部を通る直線と非平行に形成された反射面を有し、
前記発光側レンズ部から前記受光側レンズ部へ直接進行しない光の光路を前記反射面で反射させて前記受光側レンズ部へ向かう方向と異なる方向へ導く間接光光路変更機構である
ことを特徴とする請求項１に記載の光コネクタ。
【請求項５】
前記発光側レンズ部と前記受光側レンズ部との間には、前記基板部の側面に形成された凹部が設けられ、前記凹部の底面が前記反射面とされている
ことを特徴とする請求項４に記載の光コネクタ。
【請求項６】
前記発光側レンズ部と前記受光側レンズ部との間には、前記基板部の前面及び後面の少なくとも一方に形成した凹部が設けられ、前記凹部の内側面が前記反射面とされている
ことを特徴とする請求項４に記載の光コネクタ。
【発明の詳細な説明】
【技術分野】
【０００１】
本発明は、光コネクタに関する。
【背景技術】
【０００２】
光通信分野で用いられる光コネクタとして、ＦＯＴ（Fiber Optic Transceiver）ユニットと、このＦＯＴユニット（光変換モジュールユニット）を収容保持する樹脂製のハウジングと、このハウジングの外周に嵌合するシールドケースと、を備えたものが知られている（例えば、特許文献１参照）。
【先行技術文献】
【特許文献】
【０００３】
【特許文献１】特開２０１４−２２２２５６号公報
【発明の概要】
【発明が解決しようとする課題】
【０００４】
ところで、ハウジングに収容保持されるＦＯＴユニットとしては、発光素子及び受光素子に対向する位置に配置される発光側レンズ部及び受光側レンズ部が一体に成形されたレンズ体を備えるものがある。このようなＦＯＴユニットを備えた光コネクタでは、発光素子から発光側レンズ部に入射した光信号の一部が散乱光となって受光側へ漏れて受光素子で受光されてしまい、クロストークが生じるおそれがある。
【０００５】
本発明は、上述した事情に鑑みてなされたものであり、その目的は、クロストークが抑えられた光伝送に優れた光コネクタを提供することにある。
【課題を解決するための手段】
【０００６】
上述した本発明の目的は、下記（１）〜（６）の構成の分岐回路体により達成される。（１）  発光側レンズ部及び受光側レンズ部が基板部に一体成形されたレンズ体と、
前記レンズ体に組み合わされることで前記発光側レンズ部及び前記受光側レンズ部の対向位置に配置される発光素子及び受光素子を備えた光電変換モジュールと、
前記レンズ体に組み合わされた前記光電変換モジュールが収容されるハウジングと、を有する光コネクタであって、
前記レンズ体は、
前記基板部における前記発光側レンズ部と前記受光側レンズ部との間に、少なくとも前記発光側レンズ部からの光の光路を変更させる光路変更機構を備える
ことを特徴とする光コネクタ。
【０００７】
上記（１）の構成の光コネクタによれば、レンズ体の基板部の発光側レンズ部と受光側レンズ部との間に、少なくとも発光側レンズ部からの光の光路を変更させる光路変更機構を備える。これにより、発光側レンズ部からの散乱光などの光が基板部内を導光して受光側レンズ部へ到達するのを抑制できる。これにより、発光素子からの光信号が受光素子に漏れることで生じるクロストークが抑えられた光伝送に優れた光コネクタを提供できる。
【０００８】
（２）  前記光路変更機構は、前記基板部における前記発光側レンズ部及び前記受光側レンズ部を通る直線と交差する位置に設けられた凹部または貫通孔からなり、前記発光側レンズ部から前記受光側レンズ部へ直接向かう直接光の光路を変更する直接光光路変更機構である
ことを特徴とする上記（１）に記載の光コネクタ。
【０００９】
上記（２）の構成の光コネクタによれば、発光側レンズ部から受光側レンズ部へ直接向かう直接光の光路を凹部（窪みや溝）または貫通孔からなる直接光光路変更機構で変更させる。つまり、簡易な形状の凹部または貫通孔を基板部に形成することで、発光側レンズ部からの直接光が受光素子で受光されることによるクロストークを抑制できる。
【００１０】
（３）  前記凹部または前記貫通孔は、少なくとも前記発光側レンズ部側の内側面が、前記直線と直交する面に対して傾斜する傾斜面とされている
ことを特徴とする上記（２）に記載の光コネクタ。
【００１１】
上記（３）の構成の光コネクタによれば、凹部または貫通孔における少なくとも発光側レンズ部側の内側面が、発光側レンズ部及び受光側レンズ部を通る直線と直交する面に対して傾斜する傾斜面とされる。そこで、この傾斜面によって発光側レンズ部からの光を受光側レンズ部へ向かう方向と異なる方向へ確実に反射させることができる。これにより、クロストークの抑制効果を高めることができる。
【００１２】
（４）  前記光路変更機構は、
前記発光側レンズ部及び前記受光側レンズ部を通る直線と非平行に形成された反射面を有し、
前記発光側レンズ部から前記受光側レンズ部へ直接進行しない光の光路を前記反射面で反射させて前記受光側レンズ部へ向かう方向と異なる方向へ導く間接光光路変更機構である
ことを特徴とする上記（１）に記載の光コネクタ。
【００１３】
上記（４）の構成の光コネクタによれば、発光側レンズ部から受光側レンズ部へ直接進行しない光には、基板部の側面等で反射して受光側レンズ部へ間接的に到達するものがある。しかし、光路変更機構として、発光側レンズ部及び受光側レンズ部を通る直線と非平行な反射面を有する間接光光路変更機構が設けられたことで、間接的に光が受光側レンズ部へ向かうのを抑制することができる。つまり、発光側レンズ部からの間接光が受光素子で受光されることによるクロストークを抑制できる。
【００１４】
（５）  前記発光側レンズ部と前記受光側レンズ部との間には、前記基板部の側面に形成された凹部が設けられ、前記凹部の底面が前記反射面とされている
ことを特徴とする上記（４）に記載の光コネクタ。
【００１５】
上記（５）の構成の光コネクタによれば、発光側レンズ部と受光側レンズ部との間における基板部の側面に形成した凹部の底面からなる反射面によって、発光側レンズ部からの間接光が受光レンズ部へ向かうのを抑制できる。これにより、発光側レンズ部からの間接光が受光素子で受光されることによるクロストークを抑制できる。また、凹部を形成することで、発光側レンズ部と受光側レンズ部との間の断面積が減り、クロストークがさらに抑制される。
【００１６】
（６）  前記発光側レンズ部と前記受光側レンズ部との間には、前記基板部の前面及び後面の少なくとも一方に形成した凹部が設けられ、前記凹部の内側面が前記反射面とされている
ことを特徴とする上記（４）に記載の光コネクタ。
【００１７】
上記（６）の構成の光コネクタによれば、発光側レンズ部と受光側レンズ部との間における基板部の前面及び後面の少なくとも一方に形成した凹部の内側面からなる反射面によって、発光側レンズ部からの間接光が受光レンズ部へ向かうのを抑制できる。これにより、発光側レンズ部からの間接光が受光素子で受光されることによるクロストークを抑制できる。
【発明の効果】
【００１８】
本発明によれば、クロストークが抑えられた光伝送に優れた光コネクタを提供できる。
【００１９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２０】
【図１】本発明の第１実施形態に係る光コネクタ及び相手側光コネクタの斜視図である。
【図２】図１に示した相手側光コネクタの斜視図である。
【図３】図１に示した光コネクタの分解斜視図である。
【図４】図１に示した光コネクタを説明する図であって、（ａ）は光コネクタの後方側からの斜視図、（ｂ）はハウジング及びシールドケースの後方側からの斜視図である。
【図５】図４に示したハウジングの光モジュール収容部を説明する図であって、（ａ）はレンズ体が装着されたハウジング及び光電変換モジュールの後方側からの斜視図、（ｂ）はハウジング、レンズ体及び光電変換モジュールの後方側からの斜視図である。
【図６】アッセンブリ状態のレンズ体及び光電変換モジュールの後方側からの斜視図である。
【図７】図６に示したレンズ体及び光電変換モジュールを説明する図であって、（ａ）は後方側からの斜視図、（ｂ）は前方側からの斜視図である。
【図８】図７に示したレンズ体に設けられた直接光光路変更機構及び間接光光路変更機構を説明する図であって、（ａ）はレンズ体の前方側からの斜視図、（ｂ）はレンズ体の後方側からの斜視図である。
【図９】図８に示したレンズ体の正面図である。
【図１０】図９におけるＡ−Ａ断面図である。
【図１１】図９に示したレンズ体の基板部における中央部分の正面図である。
【図１２】参考例に係るレンズ体の基板部における中央部分の正面図である。
【図１３】本発明の第２実施形態に係る光コネクタのレンズ体に設けられた直接光光路変更機構及び間接光光路変更機構を説明する図であって、（ａ）はレンズ体の前方側からの斜視図、（ｂ）はレンズ体の後方側からの斜視図である。
【図１４】図１３に示したレンズ体の正面図である。
【発明を実施するための形態】
【００２１】
以下、本発明に係る実施の形態の例を、図面を参照して説明する。
図１は、本発明の第１実施形態に係る光コネクタ１０及び相手側光コネクタ１の斜視図である。
図１に示すように、本第１実施形態に係る光コネクタ１０は、プラグコネクタである相手側光コネクタ１が接合されるレセプタクルタイプの光コネクタである。光コネクタ１０は、回路基板１１に実装されており、この光コネクタ１０に設けられた嵌合凹部１２に相手側光コネクタ１が嵌合される。
【００２２】
図２は、図１に示した相手側光コネクタ１の斜視図である。
図２に示すように、相手側光コネクタ１は、光ファイバ２の端部に接続されるハウジング３を有している。ハウジング３は、その先端が嵌合部４とされており、この嵌合部４が光コネクタ１０の嵌合凹部１２に嵌合される。これにより、光コネクタ１０と相手側光コネクタ１の光ファイバ２とが光通信可能とされる。
【００２３】
図３は、図１に示した光コネクタ１０の分解斜視図である。
図３に示すように、光コネクタ１０は、ハウジング２０と、シールドケース３０と、レンズ体４０と、光電変換モジュールであるＦＯＴ（Fiber Optic Transceiver）６０と、を備えている。
【００２４】
ハウジング２０は、合成樹脂から成形された箱状の部材であり、このハウジング２０には、前端側に相手側光コネクタ１の嵌合部４が嵌合する嵌合凹部１２が形成されている。このハウジング２０には、その内部に、フェルール（図示略）が設けられており、嵌合凹部１２に嵌合された相手側光コネクタ１の光ファイバ２の端部がフェルールに嵌合される。ハウジング２０は、後端側に光モジュール収容部２１を有しており、この光モジュール収容部２１に、レンズ体４０及びＦＯＴ６０が組み付けられる。また、ハウジング２０には、シールドケース３０が上部から嵌め込まれて装着される。ハウジング２０の下部には、複数の突起部（図示略）が形成されている。そして、これらの突起部が回路基板１１に形成された孔部（図示略）に嵌合されることで光コネクタ１０が回路基板１１に実装される際に位置決めされる。
【００２５】
図４は、図１に示した光コネクタ１０を説明する図であって、図４の（ａ）は光コネクタ１０の後方側からの斜視図、図４の（ｂ）はハウジング２０及びシールドケース３０の後方側からの斜視図である。
図４の（ａ）及び（ｂ）に示すように、シールドケース３０は、天板部３１と、天板部３１の両側に形成された側板部３２と、天板部３１の後側に形成された後板部３３とを有した箱状に形成されている。シールドケース３０は、導電性金属板をプレス加工等によって箱状に形成して構成されている。シールドケース３０は、ハウジング２０に装着されることで、ハウジング２０の上部、両側部及び後部を覆ってシールドする。側板部３２には、複数の脚部３２ａが形成されており、これらの脚部３２ａは、回路基板１１のスルーホール（図示略）に挿し込まれてハンダ付けされる。これにより、光コネクタ１０は、回路基板１１に固定される。また、後板部３３には、内側へ突出する板バネ部３３ａを有している。これらの板バネ部３３ａは、ハウジング２０の光モジュール収容部２１に収容されたＦＯＴ６０の後面を押圧する。これにより、ハウジング２０の光モジュール収容部２１に収容されたレンズ体４０及びＦＯＴ６０が板バネ部３３ａの付勢力によってハウジング２０に保持された状態に維持される。
【００２６】
図５は、図４に示したハウジング２０の光モジュール収容部２１を説明する図であって、図５の（ａ）はレンズ体４０が装着されたハウジング２０及びＦＯＴ６０の後方側からの斜視図、図５の（ｂ）はハウジング２０、レンズ体４０及びＦＯＴ６０の後方側からの斜視図である。
図５の（ａ）及び（ｂ）に示すように、レンズ体４０及びＦＯＴ６０は、ハウジング２０の後端側の光モジュール収容部２１に組み付けられる。光モジュール収容部２１は、レンズ体４０及びＦＯＴ６０が嵌め込まれる凹状に形成されている。光モジュール収容部２１は、上壁部２３と、底壁部２４と、一対の側壁部２５とを有している。また、光モジュール収容部２１は、凹状部分の底部が当接面２６とされており、この当接面２６には、二つのレンズ挿通穴２７が形成されている。
【００２７】
図６は、アッセンブリ状態のレンズ体４０及びＦＯＴ６０の後方側からの斜視図である。
図６に示すように、レンズ体４０及びＦＯＴ６０は、互いに組み合わされて位置決めされる。そして、レンズ体４０及びＦＯＴ６０は、互いに組み合わされた状態でハウジング２０の光モジュール収容部２１に組付けられる。これにより、ハウジング２０に対してＦＯＴ６０が位置決めされる。
【００２８】
図７は、図６に示したレンズ体４０及びＦＯＴ６０を説明する図であって、図７の（ａ）は後方側からの斜視図、図７の（ｂ）は前方側からの斜視図である。
図７の（ａ）及び（ｂ）に示すように、レンズ体４０は、平面視矩形状に形成された基板部４３を有しており、この基板部４３には、発光側レンズ部４１及び受光側レンズ部４２が形成されている。これらの発光側レンズ部４１及び受光側レンズ部４２は、横並びに設けられている。レンズ体４０は、導光性を有する透明樹脂によって一体成形されたもので、発光側レンズ部４１と受光側レンズ部４２とが基板部４３の前面から前方へ突出するように一体に設けられている。発光側レンズ部４１のＦＯＴ６０側は、入射面４１ａとされており、受光側レンズ部４２のＦＯＴ６０側は、出射面４２ａとされている。レンズ体４０には、基板部４３の両側に、係合突起４５及び係止爪４６が形成されている。係合突起４５は、係止爪４６の両側に設けられている。
【００２９】
ＦＯＴ６０は、平面視矩形状に形成されており、その前面には、発光側ＦＯＴ６１及び受光側ＦＯＴ６２が横並びに設けられている。発光側ＦＯＴ６１は、例えば、ＬＥＤ（Light Emitting Diode）、ＶＣＳＥＬ（Vertical Cavity Surface Emitting LASER）などの発光素子６１ａを有し、受光側ＦＯＴ６２は、例えば、ＰＤ（Photo Diode)などの受光素子６２ａを有する。ＦＯＴ６０は、合成樹脂によって一体成形されたもので、発光側ＦＯＴ６１と受光側ＦＯＴ６２とが一体に設けられている。ＦＯＴ６０の下部には、複数のリードフレーム６５が設けられている。これらのリードフレーム６５は、端部がＦＯＴ６０の後方側へ屈曲された接続部６５ａとされており、この接続部６５ａが回路基板１１のパッド上に配置されてはんだ付けされ、回路基板１１の所定の回路に対して電気的に接続される。ＦＯＴ６０の両側には、凹部６６が形成されており、この凹部６６には、係止片６７が突設されている。
【００３０】
ＦＯＴ６０は、レンズ体４０における入射面４１ａ及び出射面４２ａを有する後面側に組付けられる。このとき、レンズ体４０は、係合突起４５がＦＯＴ６０の凹部６６に係合し、係止爪４６がＦＯＴ６０の係止片６７を係止する。これにより、レンズ体４０にＦＯＴ６０が組付けられ、ＦＯＴ６０における発光側ＦＯＴ６１の発光素子６１ａと受光側ＦＯＴ６２の受光素子６２ａとが、レンズ体４０の発光側レンズ部４１の入射面４１ａ及び受光側レンズ部４２の出射面４２ａに対向した位置にそれぞれ配置される。
【００３１】
そして、このレンズ体４０とＦＯＴ６０のアッセンブリは、ハウジング２０の光モジュール収容部２１に嵌め込まれて所定位置に位置決めされた状態で収容される。これにより、レンズ体４０の発光側レンズ部４１及び受光側レンズ部４２がハウジング２０のレンズ挿通穴２７に挿し込まれるとともに、レンズ体４０の前面が当接面２６に当接される。これにより、レンズ体４０の発光側レンズ部４１及び受光側レンズ部４２がハウジング２０内のフェルールに位置決めされた状態でレンズ挿通穴２７内に収容される。
【００３２】
さらに、シールドケース３０をハウジング２０に装着すると、シールドケース３０の後板部３３に形成された板バネ部３３ａによって、ＦＯＴ６０が押圧される。これにより、レンズ体４０及びＦＯＴ６０がハウジング２０の光モジュール収容部２１に保持された状態に維持される。
【００３３】
この光コネクタ１０では、ＦＯＴ６０の発光側ＦＯＴ６１で電気信号から変換されて発生した光信号は、レンズ体４０の発光側レンズ部４１へ入射面４１ａから入射し、嵌合凹部１２に接合された相手側光コネクタ１の一方の光ファイバ２へ導かれる。また、相手側光コネクタ１の他方の光ファイバ２から受光側レンズ部４２へ入射した光信号は、レンズ体４０の受光側レンズ部４２の出射面４２ａから出射してＦＯＴ６０の受光側ＦＯＴ６２で受光されて電気信号に変換される。
【００３４】
ところで、光コネクタ１０において、ＦＯＴ６０の発光側ＦＯＴ６１からレンズ体４０の発光側レンズ部４１へ入射した光信号の一部が散乱光として基板部４３へ導光される。この散乱光は、基板部４３を直接進行したり周囲の面に反射して受光側レンズ部４２へ達することがある。そして、この受光側レンズ部４２へ達した光がＦＯＴ６０の受光側ＦＯＴ６２で受光されることでクロストークが生じてしまうおそれがある。
【００３５】
このため、本第１実施形態に係る光コネクタ１０は、発光側ＦＯＴ６１と受光側ＦＯＴ６２との間でのクロストークを抑制するために、レンズ体４０に直接光光路変更機構及び間接光光路変更機構を設けている。
【００３６】
次に、光コネクタ１０のレンズ体４０に設けられた直接光光路変更機構及び間接光光路変更機構について説明する。
図８は、図７に示したレンズ体４０に設けられた直接光光路変更機構及び間接光光路変更機構を説明する図であって、図８の（ａ）はレンズ体４０の前方側からの斜視図、図８の（ｂ）はレンズ体４０の後方側からの斜視図である。図９は、図８に示したレンズ体４０の正面図である。図１０は、図９におけるＡ−Ａ断面図である。図１１は、図９に示したレンズ体４０の基板部４３における中央部分の正面図である。
【００３７】
（直接光光路変更機構）
図８（ａ）及び図９に示すように、レンズ体４０には、その基板部４３に、凹部７１が形成されており、この凹部７１が直接光光路変更機構とされている。この凹部７１は、レンズ体４０の基板部４３における前面側に形成され、正面視で上下方向に延びる長円形状の窪みである。この凹部７１は、発光側レンズ部４１と受光側レンズ部４２との間に形成されており、発光側レンズ部４１の中心点Ｏ１と受光側レンズ部４２の中心点Ｏ２とを通る直線Ｘを横切る位置に配置されている。図１０に示すように、凹部７１は、その内側面７２が、直線Ｘと直交する面に対して傾斜する傾斜面とされている。
【００３８】
（間接光光路変更機構）
図８の（ａ），（ｂ）及び図９に示すように、レンズ体４０には、基板部４３の上部及び下部の側面に凹部８１，８２が形成されている。これらの凹部８１，８２は、基板部４３における発光側レンズ部４１と受光側レンズ部４２との間に形成されている。これらの凹部８１，８２は、その底面部分が、反射面８１ａ，８２ａとされている。この反射面８１ａ，８２ａは、それぞれ発光側レンズ部４１から受光側レンズ部４２へ向かって次第に中央へ向かって傾斜されている。つまり、反射面８１ａ，８２ａは、いずれも発光側レンズ部４１の中心点Ｏ１と受光側レンズ部４２の中心点Ｏ２とを通る直線Ｘに対して非平行とされている。そして、これらの反射面８１ａ，８２ａが間接光光路変更機構とされている。
【００３９】
次に、直接光光路変更機構及び間接光光路変更機構による光路の変更について説明する。
【００４０】
光コネクタ１０のＦＯＴ６０の発光側ＦＯＴ６１からレンズ体４０の発光側レンズ部４１へ入射面４１ａから入射した光信号は、その一部が散乱光として基板部４３へ導光される。この散乱光は、その一部の光Ｌ１が受光側レンズ部４２へ向って直接進行する。そして、この光Ｌ１は、図１０に示すように、発光側レンズ部４１と受光側レンズ部４２との間に形成された直接光光路変更機構である凹部７１に達すると、この凹部７１の内側面７２で反射され、受光側レンズ部４２へ向かうことなく基板部４３の外部へ導かれる。
【００４１】
また、基板部４３へ入射した他の散乱光には、図１１に示すように、受光側レンズ部４２へ直接進行せずに基板部４３の上部や下部へ向かう光Ｌ２がある。この光Ｌ２は、基板部４３の上部及び下部の側面に形成された凹部８１，８２の反射面８１ａ，８２ａからなる間接光光路変更機構に達して反射される。反射面８１ａ，８２ａは、発光側レンズ部４１の中心点Ｏ１と受光側レンズ部４２の中心点Ｏ２とを通る直線Ｘに対して非平行とされているため、反射面８１ａ，８２ａで反射される光Ｌ２は、受光側レンズ部４２へ向かうことなく基板部４３の外部へ導かれる。つまり、発光側レンズ部４１からの光Ｌ２は、反射面８１ａ，８２ａで反射されることで、レンズ体４０において、その光路が非対称的とされる。したがって、レンズ体４０では、発光側レンズ部４１から基板部４３に入射した光Ｌ２が、発光側レンズ部４１と受光側レンズ部４２との中間を境に対称的な光路を通って受光側レンズ部４２へ間接的に進行するのが抑制される。
【００４２】
以上、説明したように、本第１実施形態に係る光コネクタ１０によれば、レンズ体４０の基板部４３の発光側レンズ部４１と受光側レンズ部４２との間に、光の光路を変更させる直接光光路変更機構及び間接光光路変換機構を備える。これにより、発光側レンズ部４１からの散乱光などの光が基板部４３内を導光して受光側レンズ部４２へ到達するのを抑制できる。これにより、発光側ＦＯＴ６１からの光信号が受光側ＦＯＴ６２に漏れることで生じるクロストークが抑えられた光伝送に優れた光コネクタ１０を提供できる。
【００４３】
具体的には、発光側レンズ部４１から受光側レンズ部４２へ直接向かう直接光については、その光路を凹部７１からなる直接光光路変更機構で変更させる。つまり、簡易な形状の凹部７１を基板部４３に形成することで、発光側レンズ部４１からの直接光が受光側ＦＯＴ６２で受光されることによるクロストークを抑制できる。
【００４４】
特に、凹部７１における内側面７２が、発光側レンズ部４１及び受光側レンズ部４２を通る直線Ｘと直交する面に対して傾斜する傾斜面とされる。そこで、この傾斜面からなる内側面７２によって発光側レンズ部４１からの光を受光側レンズ部４２へ向かう方向と異なる方向へ確実に反射させることができる。これにより、クロストークの抑制効果を高めることができる。
【００４５】
また、前述したように、発光側レンズ部４１から受光側レンズ部４２へ直接進行しない光には、基板部４３の側面等で反射して受光側レンズ部４２へ間接的に到達するものがある。例えば、図１２に示すものは、底面からなる反射面９１ａ，９２ａが、発光側レンズ部４１及び受光側レンズ部４２を通る直線Ｘと平行な凹部９１，９２を基板部４３に形成したレンズ体４０Ａである。このレンズ体４０Ａでは、発光側レンズ部４１から受光側レンズ部４２へ直接進行しない光Ｌ２が反射面９１ａ，９２ａで反射して受光側レンズ部４２へ到達してしまい、クロストークが生じるおそれがある。
【００４６】
本第１実施形態では、光路変更機構として、発光側レンズ部４１及び受光側レンズ部４２を通る直線Ｘと非平行な反射面８１ａ，８２ａを有する間接光光路変更機構が設けられたことで、間接的に光が受光側レンズ部４２へ向かうのを抑制することができる。つまり、発光側レンズ部４１からの間接光が受光側ＦＯＴ６２で受光されることによるクロストークを抑制できる。
【００４７】
また、発光側レンズ部４１と受光側レンズ部４２との間における基板部４３の側面に凹部を形成することで、発光側レンズ部４１と受光側レンズ部４２との間の断面積が減り、クロストークがさらに抑制される。
【００４８】
なお、光コネクタ１０では、光ファイバ２から受光側レンズ部４２へ入射した光が発光側レンズ部４１へ向かう光の光路も変更することができる。したがって、受光側レンズ部４２からの光によって、発光素子６１ａを有する発光側ＦＯＴ６１が受ける影響も抑制できる。
【００４９】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５０】
例えば、上記第１実施形態では、直接光の光路を変更する直接光光路変更機構として、基板部４３に窪みからなる凹部７１を形成したが、直接光光路変更機構としては、基板部４３に溝部や貫通孔を形成したものでもよい。この場合も、溝部や貫通孔の内側面で直接光の光路を変更させて受光側レンズ部４２に到達するのを抑制できる。また、上記第１実施形態では、間接光光路変更機構として、基板部４３の側面に形成された凹部８１，８２の底面部分に反射面８１ａ，８２ａを形成したが、間接光光路変更機構としての反射面は、基板部４３の前面及び後面の少なくとも一方に形成した凹部（窪みや溝部）の内側面に形成したものでもよい。
【００５１】
図１３は、本発明の第２実施形態に係る光コネクタのレンズ体５０に設けられた直接光光路変更機構及び間接光光路変更機構を説明する図であって、（ａ）はレンズ体５０の前方側からの斜視図、（ｂ）はレンズ体５０の後方側からの斜視図である。図１４は、図１３に示したレンズ体５０の正面図である。
【００５２】
（直接光光路変更機構）
図１３（ａ）及び図１４に示すように、レンズ体５０の基板部４３には、左右方向に長い長方形状の貫通孔５１が形成されている。この貫通孔５１は、直接光光路変更機構として発光側レンズ部４１と受光側レンズ部４２との間に形成されており、発光側レンズ部４１の中心点Ｏ１と受光側レンズ部４２の中心点Ｏ２とを通る直線Ｘを横切る位置に配置されている。更に、貫通孔５１は、その内側面５２が、直線Ｘと直交する面に対して傾斜する傾斜面とされている。
【００５３】
（間接光光路変更機構）
図１３（ｂ）に示すように、基板部４３の後面には、貫通孔５１の長手方向両端部から上方及び下方に向けてそれぞれ平行に延びる一対の溝部５５，５６が、間接光光路変更機構である凹部として形成されている。溝部５５は、発光側レンズ部４１と貫通孔５１との間に形成され、溝部５６は、受光側レンズ部４２と貫通孔５１との間に形成されている。これらの溝部５５，５６は、その内側面が、反射面５９とされている。この反射面５９は、基板部４３の後面に対して傾斜する傾斜面とされている。
【００５４】
また、図１３（ａ）及び図１４に示すように、レンズ体５０における基板部４３の前面には、貫通孔５１の中間部から上方及び下方に向けてそれぞれ延びる略Ｙ字形状の溝部５３，５４が、間接光光路変更機構である凹部として形成されている。これらの溝部５３，５４は、基板部４３における発光側レンズ部４１と受光側レンズ部４２との間に形成されている。これらの溝部５３，５４は、その内側面が、反射面５７とされている。この反射面５７は、基板部４３の前面に対して傾斜する傾斜面とされている。
【００５５】
次に、本第２実施形態に係る光コネクタのレンズ体５０に設けた直接光光路変更機構及び間接光光路変更機構による光路の変更について説明する。
レンズ体５０の発光側レンズ部４１へ入射面４１ａから入射した光信号は、その一部が散乱光として基板部４３へ導光される。この散乱光は、その一部の光が受光側レンズ部４２へ向って直接進行する。そして、この光は、発光側レンズ部４１と受光側レンズ部４２との間に形成された直接光光路変更機構である貫通孔５１に達すると、この貫通孔５１の内側面５２で反射され、受光側レンズ部４２へ向かうことなく基板部４３の外部へ導かれる。
【００５６】
また、基板部４３へ入射した他の散乱光には、受光側レンズ部４２へ直接進行せずに基板部４３の上部や下部へ向かう光がある（図１１、参照）。この光は、基板部４３の前面に形成された溝部５３，５４の内側面に形成された反射面５７と、基板部４３の後面に形成された溝部５５，５６の内側面に形成された反射面５９とからなる間接光光路変更機構に達し、反射される。反射面５７及び反射面５９は、基板部４３の前面又は後面に対して傾斜する傾斜面とされているため、反射面５７及び反射面５９で反射される光は、受光側レンズ部４２へ向かうことなく基板部４３の外部へ導かれる。つまり、発光側レンズ部４１からの光は、反射面５７及び反射面５９で反射されることで、受光側レンズ部４２へ間接的に進行するのが抑制される。
【００５７】
以上、説明したように、本第２実施形態に係る光コネクタのレンズ体５０によれば、上記第１実施形態に係る光コネクタのレンズ体４０と同様に、発光側レンズ部４１から受光側レンズ部４２へ直接向かう直接光については、その光路を貫通孔５１からなる直接光光路変更機構で変更させる。つまり、簡易な形状の貫通孔５１を基板部４３に形成することで、発光側レンズ部４１からの直接光が受光側ＦＯＴ６２で受光されることによるクロストークを抑制できる。
【００５８】
また、発光側レンズ部４１から受光側レンズ部４２へ直接進行しない光については、間接光光路変更機構である溝部５３，５４の反射面５７と溝部５５，５６の反射面５９とによって、間接的に光が受光側レンズ部４２へ向かうのを抑制することができる。つまり、発光側レンズ部４１からの間接光が受光側ＦＯＴ６２で受光されることによるクロストークを抑制できる。
【００５９】
ここで、上述した本発明に係る光コネクタの実施形態の特徴をそれぞれ以下［１］〜［６］に簡潔に纏めて列記する。
［１］  発光側レンズ部（４１）及び受光側レンズ部（４２）が基板部（４３）に一体成形されたレンズ体（４０）と、
前記レンズ体（４０）に組み合わされることで前記発光側レンズ部（４１）及び前記受光側レンズ部（４２）の対向位置に配置される発光素子（６１ａ）及び受光素子（６２ａ）を備えた光変換モジュール（ＦＯＴ６０）と、
前記レンズ体（４０）に組み合わされた前記光電変換モジュール（ＦＯＴ６０）が収容されるハウジング（２０）と、を有する光コネクタであって、
前記レンズ体（４０）は、
前記基板部（４３）における前記発光側レンズ部（４１）と前記受光側レンズ部（４２）との間に、少なくとも前記発光側レンズ部（４１）からの光の光路を変更させる光路変更機構を備える
ことを特徴とする光コネクタ（１０）。
［２］  前記光路変更機構は、前記基板部（４３）における前記発光側レンズ部（４１）及び前記受光側レンズ部（４２）を通る直線（Ｘ）と交差する位置に設けられた凹部（７１）または貫通孔（５１）からなり、前記発光側レンズ部（４１）から前記受光側レンズ部（４２）へ直接向かう直接光の光路を変更する直接光光路変更機構である
ことを特徴とする上記［１］に記載の光コネクタ（１０）。
［３］  前記凹部（７１）または前記貫通孔（５１）は、少なくとも前記発光側レンズ部（４１）側の内側面（７２，５２）が、前記直線（Ｘ）と直交する面に対して傾斜する傾斜面とされている
ことを特徴とする上記［２］に記載の光コネクタ（１０）。
［４］  前記光路変更機構は、
前記発光側レンズ部（４１）及び前記受光側レンズ部（４２）を通る直線Ｘと非平行に形成された反射面（８１ａ，８２ａ、５７、５９）を有し、
前記発光側レンズ部（４１）から前記受光側レンズ部（４２）へ直接進行しない光の光路を前記反射面（８１ａ，８２ａ、５７、５９）で反射させて前記受光側レンズ部（４２）へ向かう方向と異なる方向へ導く間接光光路変更機構である
ことを特徴とする上記［１］に記載の光コネクタ（１０）。
［５］  前記発光側レンズ部（４１）と前記受光側レンズ部（４２）との間には、前記基板部（４３）の側面に形成された凹部（８１，８２）が設けられ、前記凹部（８１，８２）の底面が前記反射面（８１ａ，８２ａ）とされている
ことを特徴とする上記［４］に記載の光コネクタ（１０）。
［６］  前記発光側レンズ部（４１）と前記受光側レンズ部（４２）との間には、前記基板部（４３）の前面及び後面の少なくとも一方に形成した凹部（溝部５３，５４、溝部５５，５６）が設けられ、前記凹部（溝部５３，５４、溝部５５，５６）の内側面が前記反射面（５７、５９）とされている
ことを特徴とする上記［４］に記載の光コネクタ。
【符号の説明】
【００６０】
１０：光コネクタ
２０：ハウジング
４０：レンズ体
４１：発光側レンズ部
４２：受光側レンズ部
４３：基板部
６０：ＦＯＴ（光電変換モジュール）
６１ａ：発光素子
６２ａ：受光素子
７１：凹部（直接光光路変更機構）
７２：内側面
８１，８２：凹部
８１ａ，８２ａ：反射面（間接光光路変更機構）
Ｘ：直線
【図１】
2019184994.tif 000003
【図２】
2019184994.tif 000004
【図３】
2019184994.tif 000005
【図４】
2019184994.tif 000006
【図５】
2019184994.tif 000007
【図６】
2019184994.tif 000008
【図７】
2019184994.tif 000009
【図８】
2019184994.tif 000010
【図９】
2019184994.tif 000011
【図１０】
2019184994.tif 000012
【図１１】
2019184994.tif 000013
【図１２】
2019184994.tif 000014
【図１３】
2019184994.tif 000015
【図１４】
2019184994.tif 000016